(57)【要約】【課題】レンズユニットを保持するレンズホルダを筐体に固定する場合に、組み立ての作業性が良好であり、且つ、固定のためにネジなどの他部材を必要としない撮像装置を提供する。【解決手段】レンズユニット１を保持するレンズホルダ１０のフランジ部１２の外縁部分に係合突起１４を突設する。正面側筐体３１の内面には凹部３４を形成し、レンズホルダ１０の係合突起１４及び正面側筐体３１の凹部３４の係合により、レンズホルダ１０を正面側筐体３１に固定する。レンズホルダ１０のフランジ部１２に開口１５を形成して係合突起１４及びフランジ部１２の外縁部分が撓むようにし、レンズホルダ１０を正面側筐体３１に固定した場合に、係合突起１４が撓んだ状態で凹部３４に係合するようにする。また、凹部３４及び係合突起１４を縮幅する形状とし、凹部３４の底部分の幅Ａを係合突起１４の突出端部の幅Ｂより小さくする。【選択図】図２
2008070790.tif 000002
【特許請求の範囲】
【請求項１】
一又は複数のレンズ及び該レンズを収容する鏡筒を有するレンズユニットと、該レンズユニットを保持するレンズホルダと、前記レンズユニット及び前記レンズホルダを収容する筐体とを備える撮像装置において、
前記レンズホルダは筒状をなし、筒内に前記レンズユニットを保持するようにしてあり、
前記レンズホルダに外側へ向けて突設された突起部と、
前記筐体の内面に形成され、前記突起部に係合する凹部と
を備え、
前記レンズホルダの突起部及び前記筐体の凹部の係合により、前記レンズホルダを前記筐体に固定するようにしてあること
を特徴とする撮像装置。
【請求項２】
前記レンズホルダは合成樹脂製であり、
前記レンズホルダに鍔状に設けられ、外縁部分に前記突起部が突設されたフランジ部と、
該フランジ部の前記突起部が設けられた位置より内側に形成された開口と
を備え、
前記突起部及び前記フランジ部の外縁部分が前記開口の内側へ向けて撓むようにしてある請求項１に記載の撮像装置。
【請求項３】
前記レンズホルダを前記筐体に固定した場合、前記突起部及び前記フランジ部の外縁部分が撓んだ状態で、前記突起部が前記凹部に係合するようにしてある請求項２に記載の撮像装置。
【請求項４】
前記突起部は、先細形状をなし、
前記凹部は、底部分が開口部分より小さい形状をなし、
前記凹部の底部分の大きさが、前記突起部の先端部分の大きさより小さい請求項１乃至請求項３のいずれか１つに記載の撮像装置。
【請求項５】
前記筐体は、前記レンズユニットを保持した前記レンズホルダが前記筐体に固定された場合に、前記レンズユニットの端部を露出させる開口を有し、
前記筐体及び前記レンズユニットの間に介在する防水環体を備える請求項１乃至請求項４のいずれか１つに記載の撮像装置。
【発明の詳細な説明】
【技術分野】
【０００１】
本発明は、複数のレンズ及びこれを保持する鏡筒等で構成されるレンズユニットを筐体に簡単且つ確実に固定することができる撮像装置に関する。
【背景技術】
【０００２】
近年、車両に撮像装置を搭載し、撮像装置が撮像して取得した画像を車内に設けられたディスプレイに表示することによって、運転者へ種々の情報を提供するシステムが実用化されている。例えば、車両の運転席から死角となる部分を撮像装置により撮像することによって、運転者が直接に目視できない部分をディスプレイに表示することができるため、事故を未然に防ぐことが可能となる。
【０００３】
従来の撮像装置は、複数のレンズを円筒状の鏡筒で保持した構成のレンズユニットと、このレンズユニットを保持する円筒状のレンズホルダと、ＣＣＤ又はＣＭＯＳ等による撮像素子が搭載された基板と、これらを収容する筐体とを備えている。このような撮像装置では、レンズユニットはネジ又はナット等の別部材を用いてレンズホルダに固定され（例えば、特許文献１参照）、基板はレンズホルダにネジ止めされ、レンズホルダは筐体にネジ止めされる構成である場合が多い。
【０００４】
特許文献２においては、車載用のカメラ装置に光学フィルタを取り付けるための光学フィルタ保持装置が提案されており、この場合のカメラ装置は、光学フィルタを保持した光学フィルタ保持装置を挟んで、レンズユニットを保持したレンズホルダと、ＣＣＤ素子が搭載された基板とをネジ止めし、これらをリアケースに収容した後で、リアケースにフロントケースをネジ止めする構成である。
【特許文献１】特開２００６−２３４８０号公報
【特許文献２】特開２００５−３０９０５１号公報
【発明の開示】
【発明が解決しようとする課題】
【０００５】
車載用の撮像装置は、例えば車両のバンパー近傍などに搭載されるため、車両の美観を損なうことがないように撮像装置はできるだけ小型である必要があり、また、車両の雨天走行時に雨水が撮像装置内に浸入することがないように高い防水性を有する必要がある。また、コスト低減のために、部品点数の削減及び組み立ての容易性等が求められる。即ち、車載用の撮像装置では、高い防水性を有する小型且つ安価な撮像装置が求められている。
【０００６】
しかし、上述の従来の撮像装置では、レンズホルダを筐体にネジなどの他部材を用いて固定する必要があるため、部品点数が多く、コストが増大すると言う問題があり、また、車載用の撮像装置のように小型の撮像装置の場合には組み立ての作業性が悪いという問題がある。
【０００７】
本発明は、斯かる事情に鑑みてなされたものであって、その目的とするところは、レンズユニットを保持する筒状のレンズホルダに外側へ向けて突起部を突設し、筐体の内面に凹部を形成し、突起部及び凹部の係合によりレンズホルダを筐体に固定する構成とすることにより、レンズホルダの固定にネジなどの他部材を用いる必要がなく、組み立ての作業性が良好な撮像装置を提供することにある。
【０００８】
また本発明の他の目的とするところは、レンズホルダを合成樹脂製とし、レンズホルダの外周面にフランジ部を設け、フランジ部の外縁部分に突起部を突設し、フランジ部の突起部より内側に開口を形成して、突起部及びフランジ部の外縁部分を撓ませることができる構成とすることにより、レンズホルダを筐体に固定する場合の作業性がより良好な撮像装置を提供することにある。
【０００９】
また本発明の他の目的とするところは、レンズホルダを筐体に固定した場合に、突起部及びフランジ部の外縁部分が撓んだ状態で、レンズホルダの突起部及び筐体の凹部が係合する構成とすることにより、レンズホルダを筐体に確実に且つ強固に固定することができる撮像装置を提供することにある。
【００１０】
また本発明の他の目的とするところは、突起部を先細形状とし、凹部の底部分を開口部分より小さい形状とし、凹部の底部分の大きさが突起部の先端部分より小さい構造とすることにより、レンズホルダを筐体に固定した場合に、レンズホルダの位置ずれなどが発生しにくい撮像装置を提供することにある。
【００１１】
また本発明の他の目的とするところは、レンズユニットを保持したレンズホルダが筐体に固定された場合に、レンズユニットの端部を外部に露出させる開口を筐体に設け、筐体及びレンズユニットの間に介在する防水環体を備える構成とすることにより、レンズユニットを露出させるための開口から筐体内部に雨水及び塵埃等が浸入することを防止できる撮像装置を提供することにある。
【課題を解決するための手段】
【００１２】
第１発明に係る撮像装置は、一又は複数のレンズ及び該レンズを収容する鏡筒を有するレンズユニットと、該レンズユニットを保持するレンズホルダと、前記レンズユニット及び前記レンズホルダを収容する筐体とを備える撮像装置において、前記レンズホルダは筒状をなし、筒内に前記レンズユニットを保持するようにしてあり、前記レンズホルダに外側へ向けて突設された突起部と、前記筐体の内面に形成され、前記突起部に係合する凹部とを備え、前記レンズホルダの突起部及び前記筐体の凹部の係合により、前記レンズホルダを前記筐体に固定するようにしてあることを特徴とする。
【００１３】
本発明においては、レンズユニットを保持する筒状のレンズホルダに外側へ向けて突起部を突設する。また、レンズユニット及びレンズホルダを収容する筐体の内面に、レンズホルダの突起部に係合する凹部を形成する。レンズユニットをレンズホルダに保持させた後、レンズユニット及びレンズホルダを筐体内に収容し、レンズホルダの突起部及び筐体の凹部を係合させてレンズホルダを筐体に固定する。突起部及び凹部の係合のみでよいため、レンズホルダの固定にネジなどの他部材が必要なく、部品点数を削減できる。また、ネジ止めを行う場合と比較して、突起部及び凹部の係合は作業が容易である。
【００１４】
また、第２発明に係る撮像装置は、前記レンズホルダが合成樹脂製であり、前記レンズホルダに鍔状に設けられ、外縁部分に前記突起部が突設されたフランジ部と、該フランジ部の前記突起部が設けられた位置より内側に形成された開口とを備え、前記突起部及び前記フランジ部の外縁部分が前記開口の内側へ向けて撓むようにしてあることを特徴とする。
【００１５】
本発明においては、レンズホルダを合成樹脂により成形する。レンズホルダには外周面にフランジ部を設け、フランジ部には、外縁部分に突起部を突設すると共に、突起部より内側に開口を形成する。レンズホルダは合成樹脂製であるため、フランジ部の外縁部分及び突起部を開口の内側へ向けて撓ませることが可能となる。これにより、レンズホルダを筐体に固定するために突起部を凹部へ係合させるときに、突起部を撓ませることができるため、係合の作業性を向上できる。
【００１６】
また、第３発明に係る撮像装置は、前記レンズホルダを前記筐体に固定した場合、前記突起部及び前記フランジ部の外縁部分が撓んだ状態で、前記突起部が前記凹部に係合するようにしてあることを特徴とする。
【００１７】
本発明においては、レンズホルダを筐体に固定した場合、突起部及びフランジ部の外縁部分が撓んだ状態で、突起部が凹部に係合するようにする。撓んだ突起部及びフランジ部には元の状態へ復元する力が働くため、この力により突起部及び凹部の係合を強固なものとすることができる。
【００１８】
また、第４発明に係る撮像装置は、前記突起部が、先細形状をなし、前記凹部は、底部分が開口部分より小さい形状をなし、前記凹部の底部分の大きさが、前記突起部の先端部分の大きさより小さいことを特徴とする。
【００１９】
本発明においては、突起部を先細形状とし、凹部の底部分を開口部分より小さい形状とする。このとき、凹部の底部分の大きさを突起部の先端部分より小さくする。これにより、レンズホルダの成形に誤差が生じて、突起部が若干小さく成形された場合であっても、突起部が凹部内でがたつく虞がなく、突起部及び凹部が密接するため、レンズホルダの位置ずれが発生しにくくなる。
【００２０】
また、第５発明に係る撮像装置は、前記筐体が、前記レンズユニットを保持した前記レンズホルダが前記筐体に固定された場合に、前記レンズユニットの端部を露出させる開口を有し、前記筐体及び前記レンズユニットの間に介在する防水環体を備えることを特徴とする。
【００２１】
本発明においては、レンズユニットを保持したレンズホルダが筐体に固定された場合に、レンズユニットの端部を外部に露出させるための開口を筐体に設ける。これにより、レンズユニットによって外部の撮像を行うことが可能となる。このとき、開口から雨水及び塵埃等が浸入する虞があるため、レンズユニット及び筐体の間に防水環体を介在させて、筐体内に雨水及び塵埃等が浸入することを防止する。
【発明の効果】
【００２２】
第１発明による場合は、レンズユニットを保持する筒状のレンズホルダに外側へ向けて突起部を突設し、筐体の内面に凹部を形成し、突起部及び凹部の係合によりレンズホルダを筐体に固定する構成とすることにより、突起部及び凹部の係合のみでレンズホルダを筐体に固定することができ、ネジなどの他部材が必要ないため、部品点数を削減することができ、撮像装置のコストを低減することができる。また、組み立ての作業性を向上することができるため、組立工程を簡略化することができ、組立コストを低減できる。よって、小型且つ安価な撮像装置を提供することが可能となる。
【００２３】
また、第２発明による場合は、レンズホルダを合成樹脂製とし、レンズホルダにフランジ部を設けてフランジ部の外縁部分に突起部を突設すると共に、フランジ部の突起部より内側に開口を形成して、突起部及びフランジ部の外縁部分を撓ませることができる構成とすることにより、レンズホルダを筐体に固定するために突起部を凹部へ係合させるときに、突起部を撓ませることができるため、組み立ての作業性をより向上させることができる。よって、組立コストをより低減でき、撮像装置をより安価に提供することができる。
【００２４】
また、第３発明による場合は、レンズホルダを筐体に固定した場合に、突起部及びフランジ部の外縁部分が撓んだ状態で、レンズホルダの突起部及び筐体の凹部が係合する構成とすることにより、撓んだ突起部及びフランジ部の外縁部分に働く復元力によって、突起部および凹部の係合を強固にできるため、レンズホルダを筐体に強固に固定することができ、撮像装置の信頼性を向上することができる。
【００２５】
また、第４発明による場合は、突起部を先細形状とし、凹部の底部分を開口部分より小さい形状とすると共に、凹部の底部分の大きさが突起部の先端部分より小さい構成とすることにより、レンズホルダの成形に誤差が生じて、突起部が若干小さく成形された場合であっても、突起部が凹部内でがたつく虞がなく、突起部及び凹部が密接するため、レンズホルダの固定後にレンズホルダの位置ずれが発生しにくく、撮像装置の信頼性をより向上することができる。
【００２６】
また、第５発明による場合は、レンズユニットを保持したレンズホルダが筐体に固定された場合に、レンズユニットの端部を外部に露出させる開口を筐体に設け、筐体及びレンズユニットの間に介在する防水環体を備える構成とすることにより、筐体の開口から筐体内に雨水及び塵埃等が浸入することを防止できるため、筐体内の電子機器が雨水及び塵埃等により故障する虞がなく、撮像装置の信頼性をより向上することができる。
【発明を実施するための最良の形態】
【００２７】
以下、本発明をその実施の形態を示す図面に基づき具体的に説明する。図１は、本発明に係る撮像装置の構成を示す模式的断面図であり、図２は、本発明に係る撮像装置の構成を示す模式的分解図である。図において１は、レンズユニットである。レンズユニット１は略円筒形の鏡筒内に複数のレンズを同軸に並べて保持しており、これらのレンズによりＣＣＤ又はＣＭＯＳ等による撮像素子２２へ結像を行うようにしてある。撮像素子２２は基板２１に搭載され、レンズユニット１及び基板２１はレンズホルダ１０に取り付けられた状態で筐体３０内に収容してある。
【００２８】
撮像装置の筐体３０は、略直方体形のベース部分の正面に略円柱状の突出部分を有する形状をなしており、ベース部分に基板２１を収容し、突出部分にレンズユニット１を収容するようにしてある。また、筐体３０はベース部分にて正面側筐体３１及び背面側筐体３２の２つに分離することができるようにしてあり、レンズユニット１、基板２１及びレンズホルダ１０等を正面側筐体３１に収容して固定した後、正面側筐体３１に背面側筐体３２をネジ止め又は接着剤による接着等の方法で固定するようにしてある。また、略円柱状の突出部分の突出端面には、略円形の開口３３が形成してあり、レンズユニット１の入射側のレンズが開口３３から筐体３０の外部へ露出するようにしてある。
【００２９】
レンズユニット１は、略直方体形をなし、入射側から出射側へ光軸を揃えて並べられた複数のレンズを内部に備えており、撮像装置の画角が１８０°程度の広い画角となるように、広角レンズ又は魚眼レンズが用いられている。レンズユニット１の外周面には、略中央から出射側の端部にかけてネジ溝（図示は省略する）が形成してある。また、レンズユニット１を保持するレンズホルダ１０は、略円筒形をなし、内周面にネジ溝（図示は省略する）が形成してある。これにより、レンズユニット１の外周面のネジ溝とレンズホルダ１０の内周面のネジ溝とを螺合させて、レンズユニット１をレンズホルダ１０に螺嵌させることができるようにしてあり、レンズユニット１を回転させることによってレンズユニット１を光軸方向に移動させ、レンズホルダ１０に対する位置調整を行うことができるようにしてある。また、レンズユニット１には、レンズホルダ１０よりも入射側に略円環形のレンズユニット固定ナット５が螺嵌してあり、位置調整を行った後にレンズユニット１に位置ズレが生じないように回転を係止して強固に固定するようにしてある。
【００３０】
図３は、本発明に係る撮像装置のレンズホルダ１０の構成を示す模式図であり、（ａ）に側断面図を示し、（ｂ）に背面図を示してある。なお、図３（ａ）は図３（ｂ）のＩＩＩ−ＩＩＩ線による側断面図である。レンズホルダ１０は、合成樹脂により一体的に成形されるものであり、レンズユニット１を保持する円筒部１１と、円筒部１１の端部の外周面に鍔状に設けられた矩形板状のフランジ部１２とを有している。円筒部１１の内周面には、上述の通り、レンズユニット１のネジ溝に螺合するネジ溝が形成してあり、レンズホルダ１０の正面側（図３（ａ）においては左側）から背面側へレンズユニット１を螺合させることにより、レンズユニット１を保持するようにしてある。
【００３１】
フランジ部１２の背面には、四隅の近傍に略円柱形のボス１３、１３…がそれぞれ立設してある。ボス１３、１３…は、撮像素子２２を搭載した基板２１をネジ止めして固定するためのものであり、端面にネジ穴が形成してある。また、略矩形をなすフランジ部１２の四辺の略中央には、外縁部分から外側へ突出する係合突起１４、１４…がそれぞれ設けてある。係合突起１４、１４…は、正面視（又は背面視）で略矩形をなし、断面形状は突出端部へ向けて縮幅する略台形をなしている。また、フランジ部１２には、円筒部１１及び係合突起１４、１４…の間に、且つ、２つのボス１３、１３…の間に、フランジ部１２の四辺に沿って４つの長穴状の開口１５、１５…が形成してある。
【００３２】
図４は、レンズホルダ１０の可撓性を説明するための模式図であり、（ａ）にフランジ部１２の外縁部分及び係合突起１４、１４…が撓んでいない状態を図示し、（ｂ）にこれらが撓んだ状態を図示してある。レンズホルダ１０は合成樹脂製であるため、フランジ部１２の外縁部分に突設された係合突起１４、１４…に対して、レンズホルダ１０の中心へ向けて押圧力を加えた場合、フランジ部１２の外縁部分及び係合突起１４、１４…が、開口１５、１５…の開口面積を狭めるように、開口１５、１５…の内側へ撓む。即ち、フランジ部１２の外縁部分及び係合突起１４、１４…をレンズホルダ１０の内側へ撓めることができるようにしてある。また、フランジ部１２の外縁部分及び係合突起１４、１４…を撓めた状態では、レンズホルダ１０の外側へ向けて撓みを復元する力が働くため、係合突起１４、１４…に加えた押圧力を解除した場合には、図４（ａ）に示す元の状態へ復元する。
【００３３】
レンズホルダ１０に固定される基板２１は、レンズホルダ１０のフランジ部１２と略同じ大きさの矩形板状をなし、四隅に貫通孔（図示は省略する）が形成してある。この貫通孔に背面側からそれぞれネジ４５、４５…を挿通し、レンズホルダ１０のボス１３、１３…に形成されたネジ穴に螺合させることによって、レンズホルダ１０に基板２１を固定することができるようにしてある。基板２１の正面には、略中央に撮像素子２２が搭載してある。略矩形の板状をなす撮像素子２２は、複数の受光素子がマトリックス状に配されたものであり、レンズホルダ１０に保持されたレンズユニット１により結像する映像光を電気信号に変換して出力するようにしてある。
【００３４】
レンズユニット１を保持し、基板２１が固定されたレンズホルダ１０は、正面側筐体３１内に収容される。正面側筐体３１には、略直方体形のベース部分の４つの内面に、レンズホルダ１０の係合突起１４、１４…に係合する凹部３４、３４…が形成してある。凹部３４、３４…は、正面側筐体３１の内側から外側へ向けて縮幅するように凹ませてあり、側断面形状が略台形にしてある。レンズホルダ１０に保持されたレンズユニット１の入射側の先端部分を正面側筐体３１の開口３３から外部に露出させ、レンズホルダ１０の４つの係合突起１４、１４…を正面側筐体３１の内面の４つの凹部３４、３４…に係合させることで、レンズユニット１及びレンズホルダ１０を正面側筐体３１に対して固定することができるようにしてある。係合突起１４、１４…及び凹部３４、３４…を係合させる場合には、図４（ｂ）に示すように係合突起１４、１４…を内側へ撓ませて係合を行うようにしてある。レンズホルダ１０が正面側筐体３１に固定された状態では、係合突起１４、１４…は若干撓んだ状態で凹部３４、３４…に係合するようにしてある。
【００３５】
図５は、係合突起１４及び凹部３４の係合状態を示す模式的断面図である。レンズホルダ１０の係合突起１４は、レンズホルダ１０の正面側（図５中の左側）に傾斜面１４ａを形成することによって、断面形状を略台形にしてある。正面側筐体３１の凹部３４もまた、正面側筐体３１の正面側に傾斜面３４ａを形成することによって、断面形状を略台形にしてある。なお、凹部３４の底部分の幅をＡとし、係合突起１４の突出端部の幅をＢとした場合、以下の（１）式の関係が成立するようにしてある。
Ａ＜Ｂ    …（１）
【００３６】
レンズホルダ１０は合成樹脂により一体成形されるものであり、成形の精度によっては形状に誤差が生じる虞がある。もし、レンズホルダ１０の係合突起１４に傾斜面１４ａが形成されておらず、正面側筐体３１の凹部３４に傾斜面３４ａが形成されていないときに、例えば係合突起１４の幅に誤差が生じ、所望の幅よりも小さく成形された場合には、係合突起１４を凹部３４に係合させた状態で、係合突起１４及び凹部３４の間に隙間が生じる。係合突起１４及び凹部３４の間に隙間が生じた場合には、レンズホルダ１０が正面側筐体３１に不動に固定することができない。また、係合突起１４が所望の幅より大きく成形された場合には、係合突起１４を凹部３４に係合させることができない。
【００３７】
係合突起１４に傾斜面１４ａを形成して縮幅する形状とし、凹部３４に傾斜面３４ａを形成して縮幅する形状とすると共に、係合突起１４及び凹部３４の形状を上述の（１）式が成立する形状とすることにより、係合突起１４が所望の幅より小さく成形された場合であっても、係合突起１４が凹部３４の底部に近い位置で係合することができ、また、係合突起１４が所望の幅より大きく成形された場合であっても、係合突起１４が凹部３４の底部から遠い位置で係合することができる。更に、係合突起１４が若干撓んだ状態で凹部３４に係合する構成としてあるため、係合突起１４が凹部３４の底部に近い位置で係合する場合であっても、凹部３４の底部に遠い位置で係合する場合であっても、係合突起１４及び凹部３４を密着させることができるため、レンズホルダ１０を正面側筐体３１に確実に固定することができる。
【００３８】
また、正面側筐体３１の内部には、開口３３の周囲に沿って円筒状のレンズ押え部３５が設けてある。レンズ押え部３５の内径はレンズユニット１の外径より若干大きくしてある。レンズユニット１の先端部分を正面側筐体３１の開口３３から露出させる場合には、レンズユニット１の先端部分近傍の外周面に、円環状をなす防水リング４０を装着した後に行うようにしてある。これにより、正面側筐体３１にレンズユニット１及びレンズホルダ１０を固定した後、防水リング４０がレンズユニット１の外周面及びレンズ押え部３５の内周面に密着し、筐体３０内に雨水などが浸入することを防止するようにしてある。また、筐体３０内に塵埃が浸入することを防水リング４０にて防止することもできる。なお、防水リング４０は、例えばゴム製である。
【００３９】
正面側筐体３１にレンズユニット１及びレンズホルダ１０を固定した後、レンズホルダ１０にネジ止めされた基板２１を背面から覆うように、正面側筐体３１に背面側筐体３２を取り付けて固定する。これにより、本実施の形態に係る撮像装置の組み立てが完了するが、正面側筐体３１及び背面側筐体３２の境界部分から雨水及び塵埃等が浸入することがないように、境界部分に防水リング４０のような防水部材を用いるか、又は境界部分を接着剤などによる接着若しくは熱加工などによる溶着等をするかして、境界部分を防水構造とすることが望ましい。
【００４０】
以上の構成の撮像装置においては、レンズホルダ１０のフランジ部１２の外縁部分に突設した係合突起１４、１４…と、正面側筐体３１の内面に形成した凹部３４、３４…とを係合させることでレンズホルダ１０を正面側筐体３１に固定する構成とすることにより、レンズホルダ１０及び正面側筐体３１の固定にネジなどの他部材を必要としないため、撮像装置の部品点数を削減することができると共に、係合突起１４、１４…と凹部３４、３４…との係合のみでよいため、撮像装置の組立工程を簡略化できる。また、レンズホルダ１０の係合突起１４、１４…が内側へ撓むことができる構成とすることにより、係合突起１４、１４…及び凹部３４、３４…の係合をより行いやすくすることができる。
【００４１】
また、正面側筐体３１の凹部３４の底部分の幅Ａが、レンズホルダ１０の係合突起１４の突出端部の幅Ｂより小さい構成とすることにより、レンズホルダ１０の成形精度によらず、レンズホルダ１０を正面側筐体３１に確実に固定することができる。また、レンズホルダ１０を正面側筐体３１に固定した場合に、係合突起１４が撓んだ状態で凹部３４に係合する構成とすることにより、レンズホルダ１０をより確実に正面側筐体３１に固定することができる。
【００４２】
また、正面側筐体３１の内側に、開口３３に沿ってレンズ押え部３５を設け、レンズユニット１及びレンズホルダ１０を正面側筐体３１に固定した場合に、レンズユニット１の外周面に装着した防水リング４０がレンズ押え部３５の内周面に密着する構成とすることにより、正面側筐体３１の開口３３から雨水及び塵埃等が筐体３０内に浸入し、基板２１及び撮像素子２２等が故障することを防止できる。
【００４３】
なお、本実施の形態においては、レンズユニット１をレンズホルダ１０に保持させる場合に、レンズユニット固定ナット５を用いてレンズユニット１を固定する構成としたが、これに限るものではなく、ネジなどを用いて固定する構成としてもよく、接着剤を用いて固定してもよい。また、基板２１をネジ４５、４５…を用いてレンズホルダ１０に固定する構成としたが、これに限るものではなく、例えば接着剤などを用いて固定する構成としてもよく、熱又は超音波等を用いた溶着により固定する構成としてもよい。更には、背面側筐体３２の内面にボスなどを突設し、レンズホルダ１０のボス１３と背面側筐体３２のボスとで基板２１を挟み込んで固定する構成としてもよい。
【００４４】
また、防水リング４０を用いて開口３３からの雨水及び塵埃等の浸入を防止する構成としたが、これに限るものではなく、他の方法で防水及び防塵等を行ってもよい。また、係合突起１４、１４…及び凹部３４、３４…を４つずつ設ける構成としたが、これに限るものではなく、例えば２つずつ設ける構成としてもよく、１つ、３つ又は５つ以上設ける構成としてもよい。
【００４５】
（変形例）
図６は、本発明の変形例に係る撮像装置の構成を示す模式的断面図である。変形例に係る撮像装置の筐体１３０は、合成樹脂製であり、略直方体形のベース部分の正面に略円柱状の突出部分を有する形状をなしており、ベース部分に基板２１を収容し、突出部分にレンズユニット１を収容するようにしてある。また、筐体１３０はベース部分にて正面側筐体１３１及び背面側筐体３２の２つに分離することができるようにしてある。また、略円柱状の突出部分の突出端部１３１ａは透明の合成樹脂で成形してあり、筐体１３０内に収容されたレンズユニット１は、この透明な突出端部１３１ａを通して外部の光を集光し、撮像素子２２への結像を行うようにしてある。なお、筐体１３０の突出端部１３１ａ以外の部分は、光を透過しない不透明な合成樹脂で形成してある。
【００４６】
図１に示す撮像装置は、正面側筐体３１に形成した開口３３からレンズユニット１０を露出させることにより、外部の撮像を行う構成であるが、図６に示す変形例に係る撮像装置は、透明な突出端部１３１ａを通して外部の撮像を行う構成である。この構成により、筐体１３０内に雨水及び塵埃等が浸入する虞がないため、防水リング４０を設ける必要がないという利点がある。
【図面の簡単な説明】
【００４７】
【図１】本発明に係る撮像装置の構成を示す模式的断面図である。
【図２】本発明に係る撮像装置の構成を示す模式的分解図である。
【図３】本発明に係る撮像装置のレンズホルダの構成を示す模式図である。
【図４】レンズホルダの可撓性を説明するための模式図である。
【図５】係合突起及び凹部の係合状態を示す模式的断面図である。
【図６】本発明の変形例に係る撮像装置の構成を示す模式的断面図である。
【符号の説明】
【００４８】
１  レンズユニット
１０  レンズホルダ
１１  円筒部
１２  フランジ部
１３  ボス
１４  係合突起（突起部）
１５  開口
２１  基板
２２  撮像素子
３０  筐体
３１  正面側筐体
３２  背面側筐体
３３  開口
３４  凹部
４０  防水リング（防水環体）
【図１】
2008070790.tif 000003
【図２】
2008070790.tif 000004
【図３】
2008070790.tif 000005
【図４】
2008070790.tif 000006
【図５】
2008070790.tif 000007
【図６】
2008070790.tif 000008